(57)【要約】【課題】液晶の劣化を抑制しつつ、少ない回路素子数で液晶パネルに中間階調を表示できる液晶パネルの駆動回路および液晶表示装置を提供する。【解決手段】液晶パネルのセグメントを複数の階調の輝度で点灯させる液晶パネルの駆動回路２０であって、パルス幅変調可能なパルス信号を出力する第３ポート４３と、５Ｖおよび０Ｖを切り換え可能に出力する第１ポート４１、第２ポート４２とを備えたＣＰＵ４０と、第１ポート４１と第２ポート４２に接続された抵抗分圧回路５０と、フィルタ６０とを備え、ＣＰＵ４０は、セグメントを消灯させる場合、第１ポート４１から５Ｖを出力し第２ポート４２から０Ｖを出力する状態と、第１ポート４１から０Ｖを出力し第２ポート４２から５Ｖを出力する状態とを交互に繰り返すオフ制御を実行し、セグメントを中間階調で点灯させる場合、第３ポート４３から、中間階調に応じたデューティ比のパルス信号を出力する。【選択図】図２
2019045766.tif 000002
【特許請求の範囲】
【請求項１】
複数のセグメント（３１）を備えた液晶パネル（３０）の前記セグメントを複数の階調の輝度で点灯させる液晶パネルの駆動回路であって、
パルス幅変調可能なパルス信号を出力するパルス信号出力ポートと、直流電源電圧およびグランド電圧を切り換え可能に出力する第１ポート、第２ポートとを備えた電圧出力部（４０）と、
前記第１ポートと前記第２ポートに接続された抵抗分圧回路（５０）と、
入力側が、前記抵抗分圧回路の電圧出力点および前記パルス信号出力ポートに接続されており、出力側が前記液晶パネルへ電圧を出力する端子（２１）に接続されているローパスフィルタ（６０）とを備え、
前記電圧出力部は、前記セグメントを消灯させる場合、前記第１ポートから前記直流電源電圧を出力し前記第２ポートから前記グランド電圧を出力する状態と、前記第１ポートから前記グランド電圧を出力し前記第２ポートから前記直流電源電圧を出力する状態とを交互に繰り返すオフ制御を実行し、前記セグメントを中間階調で点灯させる場合、前記パルス信号出力ポートから、中間階調に応じたデューティ比の前記パルス信号を出力する液晶パネルの駆動回路。
【請求項２】
請求項１に記載の前記液晶パネルおよび前記駆動回路を備えた液晶表示装置であって、
前記電圧出力部は、前記セグメントを中間階調で点灯させる場合、中間階調の輝度に応じて定まる基準デューティ比を前記セグメント毎に予め設定された補正値で補正した補正後デューティ比の前記パルス信号を出力する液晶表示装置。
【請求項３】
請求項１に記載の前記液晶パネルおよび前記駆動回路を備えた液晶表示装置であって、
前記液晶パネルは、前記セグメントの形状を一部に有する電極（ＣＯＭ、ＳＥＧ）を備え、
前記電極の両端が、前記駆動回路が備える同じ前記端子に接続されている液晶表示装置。
【発明の詳細な説明】
【技術分野】
【０００１】
液晶パネルの駆動回路および液晶表示装置に関し、特に、中間階調を液晶パネルに表示させる技術に関する。
【背景技術】
【０００２】
特許文献１に開示されている液晶パネルの駆動回路は、電源電圧を複数の抵抗素子で分圧して複数の階調電圧を生成する。この階調電圧を液晶パネルに出力することで、液晶パネルに複数の中間階調を表示可能にしている。
【０００３】
液晶パネルとして、セグメント型の液晶パネルが知られている。セグメント型の液晶パネルは、表示しようとする形状をいくつかのセグメントに分割し、セグメント毎に電圧を印加する。セグメント型の液晶パネルは、たとえば、数字を７つのセグメントで表示するものが広く知られている。それ以外にも、自動車の車室内において空調状態を表示するためにも、セグメント型の液晶パネルは用いられている。セグメント型の液晶パネルは、ドットマトリクス型の液晶パネルに比べて安価である。
【先行技術文献】
【特許文献】
【０００４】
【特許文献１】米国特許第７４９９０１４号公報
【発明の概要】
【発明が解決しようとする課題】
【０００５】
電源電圧を複数の抵抗素子で分圧して階調電圧を生成する駆動回路は、階調の数に応じて抵抗素子の数が増加する。また、この抵抗素子は抵抗値が正確である必要がある。抵抗値が正確である必要がある理由は、次の理由からである。
【０００６】
液晶には交流を印加する。交流印加時の直流残留成分が定格内でないと液晶が劣化する恐れがある。抵抗素子の抵抗値のばらつきは、抵抗素子による分圧で生成される交流電圧のばらつきにつながる。そのため、抵抗素子の抵抗値のばらつきは、直流残留成分を大きくする恐れがある。したがって、抵抗素子の抵抗値は正確である必要があるのである。
【０００７】
階調の数に応じて、正確な抵抗値を持つ抵抗素子の数を増やす必要があると、駆動回路が高価になってしまう。安価であるセグメント型の液晶パネルを駆動するための駆動回路が高価であると、駆動回路も含めた液晶表示装置は高価になってしまう。
【０００８】
そこで、本発明者は、セグメント型の液晶パネルへ出力する電圧をパルス幅変調制御（以下、ＰＷＭ制御）で種々の電圧値に調整することを検討した。ＰＷＭ制御で電圧値を調整すれば、階調の数が増えても、抵抗素子の数を増やす必要はないからである。
【０００９】
しかし、ＰＷＭ制御で生成する電圧は、正確な抵抗値を持つ抵抗素子で分圧した電圧ほどには、目的とする電圧にすることができない。その結果、直流残留成分が大きくなって、液晶の劣化が生じる恐れがあった。
【００１０】
本開示は、この事情に基づいて成されたものであり、その目的とするところは、液晶の劣化を抑制しつつ、少ない回路素子数で液晶パネルに中間階調を表示できる液晶パネルの駆動回路および液晶表示装置を提供することにある。
【課題を解決するための手段】
【００１１】
上記目的は独立請求項に記載の特徴の組み合わせにより達成され、また、下位請求項は更なる有利な具体例を規定する。特許請求の範囲に記載した括弧内の符号は、一つの態様として後述する実施形態に記載の具体的手段との対応関係を示すものであって、開示した技術的範囲を限定するものではない。
【００１２】
上記目的を達成するための液晶パネルの駆動回路に係る１つの開示は、
複数のセグメント（３１）を備えた液晶パネル（３０）のセグメントを複数の階調の輝度で点灯させる液晶パネルの駆動回路であって、
パルス幅変調可能なパルス信号を出力するパルス信号出力ポートと、直流電源電圧およびグランド電圧を切り換え可能に出力する第１ポート、第２ポートとを備えた電圧出力部（４０）と、
第１ポートと第２ポートに接続された抵抗分圧回路（５０）と、
入力側が、抵抗分圧回路の電圧出力点およびパルス信号出力ポートに接続されており、出力側が液晶パネルへ電圧を出力する端子（２１）に接続されているローパスフィルタ（６０）とを備え、
電圧出力部は、セグメントを消灯させる場合、第１ポートから直流電源電圧を出力し第２ポートからグランド電圧を出力する状態と、第１ポートからグランド電圧を出力し第２ポートから直流電源電圧を出力する状態とを交互に繰り返すオフ制御を実行し、セグメントを中間階調で点灯させる場合、パルス信号出力ポートから、中間階調に応じたデューティ比のパルス信号を出力する。
【００１３】
この液晶パネルの駆動回路では、セグメントを中間階調で点灯させる場合には、電圧出力部は、中間階調に応じたデューティ比のパルス信号を出力する。中間階調で点灯させる場合の電圧を、パルス信号のデューティ比で調整することから、中間階調の階調数に応じた抵抗素子を備える必要がない。よって、少ない回路素子数で中間階調を表示できる。
【００１４】
一方、セグメントを消灯させる場合、電圧出力部は、第１ポートから直流電源電圧を出力し第２ポートからグランド電圧を出力する状態と、第１ポートからグランド電圧を出力し第２ポートから直流電源電圧を出力する状態とを交互に繰り返すオフ制御を実行する。オフ制御は、従来と同じく、抵抗分圧回路で電圧を生成している。よって、セグメントを消灯させる場合の直流残留成分が大きくなり過ぎることを抑制できるので、液晶の劣化を抑制できる。
【００１５】
上記目的を達成するための液晶表示装置に係る１つの開示は、
上記液晶パネルおよび駆動回路を備えた液晶表示装置であって、
電圧出力部は、セグメントを中間階調で点灯させる場合、中間階調の輝度に応じて定まる基準デューティ比をセグメント毎に予め設定された補正値で補正した補正後デューティ比のパルス信号を出力する。
【００１６】
また、上記目的を達成するための液晶表示装置に係る他の開示は、
上記液晶パネルおよび駆動回路を備えた液晶表示装置であって、
液晶パネルは、セグメントの形状を一部に有する電極（ＣＯＭ、ＳＥＧ）を備え、
電極の両端が、駆動回路が備える同じ端子に接続されている。
【図面の簡単な説明】
【００１７】
【図１】液晶表示装置１の構成を説明する図である。
【図２】駆動回路２０の内部の構成を説明する図である。
【図３】フィルタ６０の構成を示す図である。
【図４】コモン電極ＣＯＭを示す図である。
【図５】セグメント電極ＳＥＧを示す図である。
【図６】ＣＰＵ４０が実行する処理を説明するフローチャートである。
【図７】液晶印加電圧と透過率との関係を示す図である。
【図８】基準デューティ比を補正する補正値のマップである。
【図９】第２実施形態におけるコモン電極の構成を示す図である。
【発明を実施するための形態】
【００１８】
＜第１実施形態＞
以下、実施形態を図面に基づいて説明する。図１は、本実施形態の液晶表示装置１の電気的構成を説明する図である。液晶表示装置１は、バックライト１０と、駆動回路２０と、液晶パネル３０とを備えている。
バックライト１０は、液晶パネル３０の背面に設置されて液晶パネル３０に向けて光を照射する。
【００１９】
駆動回路２０は、複数の端子２１を備えている。複数の端子２１には、液晶パネル３０が備えるコモン電極ＣＯＭまたはセグメント電極ＳＥＧ（図４、図５参照）が接続される。端子２１には、液晶パネル３０が備える液晶を駆動させる駆動信号が出力される。
【００２０】
駆動回路２０は、図２に示すように、ＣＰＵ４０と、抵抗分圧回路５０と、フィルタ６０とを備えている。ＣＰＵ４０は、電圧出力部であり、１つの第１ポート４１と、１つの第２ポート４２と、端子２１の数と同じ数の第３ポート４３の３種類のポートを備えている。
【００２１】
第１ポート４１、第２ポート４２、第３ポート４３は汎用入出力ポートである。汎用入出力ポートは、ソフトウェア制御により入力ポートとして機能する状態と出力ポートとして機能する状態とを切り替えることができる。
【００２２】
これら第１ポート４１、第２ポート４２、第３ポート４３は、ＣＰＵ４０に供給される直流電源電圧である５Ｖおよびグランド電圧すなわち０Ｖを選択的に出力することができる。
【００２３】
さらに、ＣＰＵ４０は、ＰＷＭ制御によりパルス幅を可変として、パルス信号を出力することができる。パルス信号は第３ポート４３から出力する。よって、第３ポート４３はパルス信号を出力するパルス信号出力ポートでもある。
【００２４】
抵抗分圧回路５０は、第３ポート４３と同じ数だけ備えられている。それぞれの抵抗分圧回路５０は、直列接続された第１抵抗５１と第２抵抗５２とを備えている。第１抵抗５１は、一端が第１ポート４１に接続され、他端が第２抵抗５２に接続されている。第２抵抗５２は、第１抵抗５１が接続されている側とは反対側の端が第２ポート４２に接続されている。第１抵抗５１と第２抵抗５２の抵抗比はオフ制御電圧を生成するため比率になっている。たとえば、第１抵抗５１の抵抗値は１０ｋΩであり、第２抵抗５２の抵抗値は２０ｋΩである。第１ポート４１の電圧が５Ｖであり、第２ポート４２の電圧が０Ｖであれば、オフ制御電圧は３．３３Ｖになる。第１ポート４１の電圧が０Ｖであり、第２ポート４２の電圧が５Ｖである場合、オフ制御電圧は１．６７Ｖである。
【００２５】
オフ制御電圧は、後述するオフ制御を実行しているときに、オフしたいセグメント３１（図４、５参照）にオフ電圧を印加するために、対応するコモン電極ＣＯＭおよびセグメント電極ＳＥＧに印加する電圧である。このとき、セグメント３１に印加される電圧は、それらコモン電極ＣＯＭの電圧とセグメント電極ＳＥＧの電圧との電圧差になる。
【００２６】
フィルタ６０は、図３に示すように、抵抗６１とコンデンサ６２を備えたローパスフィルタである。抵抗６１の一方の端は、第１抵抗５１と第２抵抗５２との間に接続されている。抵抗６１の他方の端は、コンデンサ６２および端子２１に接続されている。
【００２７】
抵抗６１が抵抗分圧回路５０に接続されている点を電圧出力点５３とする。抵抗分圧回路５０で生成された電圧は、電圧出力点５３からフィルタ６０に出力される。抵抗分圧回路５０で生成された電圧は直流電圧であるから、その電圧は、フィルタ６０で変化することなく端子２１に出力される。
【００２８】
第３ポート４３も、電圧出力点５３に接続されている。そのため、第３ポート４３から出力された電圧も、フィルタ６０を通って端子２１に出力される。第３ポート４３からは、５Ｖあるいは０Ｖの直流電圧、または、パルス信号が出力される。第３ポート４３から５Ｖあるいは０Ｖの直流電圧が出力された場合には、その電圧はフィルタ６０で変化することなく、端子２１に出力される。一方、第３ポート４３からパルス信号が出力された場合、そのパルス信号はフィルタ６０でアナログ信号に変換されて端子２１に出力される。
【００２９】
図４に、液晶パネル３０が備えるコモン電極ＣＯＭの形状を示している。また、図５に、液晶パネル３０が備えるセグメント電極ＳＥＧの形状を示している。これらコモン電極ＣＯＭおよびセグメント電極ＳＥＧは、それぞれ透明電極であり、透明ガラス上に形成されている。
【００３０】
コモン電極ＣＯＭ、セグメント電極ＳＥＧは、ともに複数のセグメント３１の形状を備えている。セグメント３１は、表示する図形を複数の要素の分割したものである。図４、図５に示すセグメント３１は、全体として、自動車の車室内において空調状態を表示するための図形を表している。どのセグメント３１が点灯するかは、電圧が印加されるコモン電極ＣＯＭとセグメント電極ＳＥＧの組み合わせで定まる。
【００３１】
なお、図４、図５において、符号「３１」は、コモン電極ＣＯＭの配線７１、セグメント電極ＳＥＧの配線８１と重ならずに示すことができる幾つかのセグメント３１にしか付していない。実際には、図４、図５に示す図形は、いずれもセグメント３１である。
【００３２】
コモン電極ＣＯＭは、詳しくは４つのコモン電極ＣＯＭ０、ＣＯＭ１、ＣＯＭ２、ＣＯＭ３を備える。これらを区別しないときは、コモン電極ＣＯＭと記載する。セグメント電極ＳＥＧは、詳しくは８つのセグメント電極ＳＥＧ０、ＳＥＧ１、ＳＥＧ２、ＳＥＧ３、ＳＥＧ４、ＳＥＧ５、ＳＥＧ６、ＳＥＧ７を備える。これらを区別しないときは、セグメント電極ＳＥＧと記載する。
【００３３】
それぞれのコモン電極ＣＯＭは、複数のセグメント３１の形状の部分と配線７１とを備えており、各セグメント３１の形状は、４つのコモン電極ＣＯＭ０〜ＣＯＭ３のいずれかの一部の形状になっている。
【００３４】
セグメント電極ＳＥＧも、複数のセグメント３１の形状の部分と配線８１とを備えており、各セグメント３１の形状は、８つのセグメント電極ＳＥＧ０〜ＳＥＧ７のいずれかの一部の形状になっている。
【００３５】
液晶パネル３０は、液晶層の一方の面にセグメント電極ＳＥＧが形成された電極層が積層され、他方の面にコモン電極ＣＯＭが形成された電極層が積層された構造を備える。そして、パッシブマトリクス方式で点灯が制御される。各セグメント３１は、そのセグメント３１に対応するコモン電極ＣＯＭおよびセグメント電極ＳＥＧの電圧差により、バックライト１０の光を透過する透過率が制御される。
【００３６】
駆動回路２０は、点灯させるセグメント３１に応じて定まるコモン電極ＣＯＭおよびセグメント電極ＳＥＧに、点灯させる階調により定まる電圧を印加する。点灯させる階調が最高輝度であれば、該当するコモン電極ＣＯＭを５Ｖにし、該当するセグメント電極ＳＥＧを０Ｖにする。その後、それらコモン電極ＣＯＭ、セグメント電極ＳＥＧの電圧を逆にする。以下、単にセグメント３１をオンすると記載する場合には、最高輝度でセグメント３１を点灯させること意味する。
【００３７】
セグメント３１をオンさせている間、該当するコモン電極ＣＯＭの電圧とセグメント電極ＳＥＧの電圧を、５Ｖから０Ｖへ、または、５Ｖから０Ｖへ周期的に変化させることで、電圧差は５Ｖを維持する。周期的に電圧を切り換える理由は、液晶の劣化防止のためである。
【００３８】
コモン電極ＣＯＭやセグメント電極ＳＥＧの電圧を５Ｖおよび０Ｖに交互に変化させる場合、駆動回路２０は、それらに対応するＣＰＵ４０の第３ポート４３から、５Ｖおよび０Ｖを交互に出力する。
【００３９】
また、駆動回路２０は、消灯させるセグメント３１に対しては、該当するコモン電極ＣＯＭおよびセグメント電極ＳＥＧの電圧差をオフ電圧にする。オフ電圧は具体的には１．６７Ｖである。オフ電圧が０Ｖでない理由は、液晶を安定させるためである。
【００４０】
オフ電圧が１．６７Ｖであるので、消灯させるセグメント３１に対しては、対応するコモン電極ＣＯＭおよびセグメント電極ＳＥＧへそれぞれ３．３３Ｖおよび１．６７Ｖを出力する状態と、１．６７Ｖと３．３３Ｖを出力する状態を周期的に切り替える。周期的に電圧を切り替える理由は、オンのときと同じ理由である。
【００４１】
コモン電極ＣＯＭあるいはセグメント電極ＳＥＧを３．３３Ｖにする場合、ＣＰＵ４０の第１ポート４１を５Ｖにし、第２ポート４２を０Ｖにする。そして、コモン電極ＣＯＭあるいはセグメント電極ＳＥＧに対応する第３ポート４３を入力ポートにする。これにより、第１ポート４１の電圧と第２ポート４２の電圧との電圧差が抵抗分圧回路５０で分圧されて、電圧出力点５３の電圧は３．３３Ｖになる。
【００４２】
コモン電極ＣＯＭあるいはセグメント電極ＳＥＧを１．６７Ｖにする場合、その電極に対応するＣＰＵ４０の第１ポート４１を０Ｖにし、第２ポート４２を５Ｖにする。コモン電極ＣＯＭあるいはセグメント電極ＳＥＧに対応する第３ポート４３は入力ポートにする。このとき、第１ポート４１の電圧と第２ポート４２の電圧との電圧差が抵抗分圧回路５０で分圧されて、電圧出力点５３の電圧は１．６７Ｖになる。
【００４３】
このように、セグメント３１をオンする場合、および、オフ（すなわち消灯）にする場合には、ＣＰＵ４０は直流電圧を出力する。これに対して、セグメント３１を最高輝度よりも低い輝度である中間階調で点灯させる場合には、そのセグメント３１に対応するコモン電極ＣＯＭおよびセグメント電極ＳＥＧの電圧差を、階調に応じて定まる電圧差にする。
【００４４】
この電圧差にするためのコモン電極ＣＯＭおよびセグメント電極ＳＥＧの電圧は予め設定されている。中間階調時も、コモン電極ＣＯＭおよびセグメント電極ＳＥＧの電圧は、周期的に切り換えて、両極間には、階調に応じて定まる電圧差が継続的に印加されつつも、電圧差の符号が周期的に反転するようにする。
【００４５】
中間階調にする場合、コモン電極ＣＯＭ、セグメント電極ＳＥＧと接続されている第３ポート４３から、フィルタ６０を通過した後の電圧が階調により定まる電圧となるデューティ比のパルス信号を出力する。
【００４６】
図６にＣＰＵ４０が実行する処理を示す。ＣＰＵ４０は電源がオンになっているとき、周期的に図６に示す処理を実行する。ＣＰＵ４０は、図６に示す処理を各セグメント３１に対して行う。
【００４７】
ステップ（以下、ステップを省略）Ｓ１では、セグメント３１を中間階調で点灯させる必要があるか否かを判断する。どのようなときにセグメント３１を中間階調で点灯させるかは、予め設定されている。ここでは、液晶表示装置１に接続されている操作ボタンが操作されて、あるセグメント３１を点灯から消灯へ、あるいは、その逆に消灯から点灯へ変化させるときに、変化過程で一時的に中間階調で点灯させる。
【００４８】
Ｓ１の判断がＮＯであればＳ２に進む。Ｓ２では、セグメント３１をオンまたはオフにすることになる。セグメント３１をオンにする場合には、そのセグメント３１に対応する第３ポート４３から、５Ｖおよび０Ｖを周期的に切り換えて出力する。このとき、第３ポート４３は、汎用出力ポートとする。ただし、パルス信号出力ポートとして、デューティ比１００％とデューティ比０％の信号を出力してもよい。
【００４９】
セグメント３１をオフにする場合には、オフ制御を実行する。オフ制御では、そのセグメント３１に対応する第３ポート４３は入力ポートとする。そして、第１ポート４１から５Ｖを出力し第２ポート４２から０Ｖを出力する状態と、第１ポート４１から０Ｖを出力し第２ポート４２から５Ｖを出力する状態とを交互に繰り返す。オフ制御を実行することで、セグメント３１に対応する電圧出力点５３の電圧は、１．６７Ｖおよび３．３３Ｖに周期的に変化する。
【００５０】
Ｓ１の判断がＹＥＳであればＳ３に進む。Ｓ３では、目標透過率を決定する。目標透過率は、セグメント３１をオンからオフへ、あるいは、オフからオンへ変化させる調光制御を行っている経過時間に基づいて決定する。調光制御を実行する時間に対する経過時間の比率が高いほど、最終的な状態、すなわちオンあるいはオフに近い輝度にする。この輝度が定まれば目標透過率が定まる。
【００５１】
Ｓ４では、Ｓ３で決定した目標透過率とするための基準デューティ比を決定する。図７には、液晶印加電圧と透過率との関係の一例を示している。本実施形態でも、ＣＰＵ４０は、図７に示すような、液晶印加電圧と透過率との関係を参照して、セグメント３１に印加する電圧を決定する。
【００５２】
そして、コモン電極ＣＯＭの電圧とセグメント電極ＳＥＧの電圧との電圧差が、その印加する電圧となるように、コモン電極ＣＯＭおよびセグメント電極ＳＥＧの電圧を決定する。なお、セグメント３１をオンする場合およびオフする場合と同様に、印加する電圧の符号が周期的に反転するようにする。したがって、コモン電極ＣＯＭおよびセグメント電極ＳＥＧの電圧も、それぞれ、周期的に変化する２種類の電圧を決定することになる。次いで、決定した電圧となるデューティ比を基準デューティ比とする。コモン電極ＣＯＭおよびセグメント電極ＳＥＧの電圧を２種類決定しているので基準デューティ比も、それぞれ２種類決定することになる。
【００５３】
本実施形態では、コモン電極ＣＯＭには、この基準デューティ比のパルス信号をそのまま出力する。一方、セグメント電極ＳＥＧについては、基準デューティ比をそのまま実際に第３ポート４３から出力するパルス信号のデューティ比とするのではなく、Ｓ５において基準デューティ比を補正する補正値を決定する。そして、実際に第３ポート４３から出力するパルス信号のデューティ比は基準デューティ比を補正値で補正した値とする。
【００５４】
基準デューティ比を補正する理由は、デューティ制御して中間階調でセグメント３１を点灯させる場合、同じデューティ比でも、セグメント３１が異なると、明るさが異なるという現象が生じることが、実験により明らかになったからである。この現象が生じる理由は、明らかではない。しかし、配線インピーダンスによって、端子２１から遠くなるほど、電圧降下が生じているからではないかと考察している。
【００５５】
従来、セグメント３１を最高輝度で点灯させる場合には、この現象が生じていなかった。その理由は、セグメント３１を最高輝度で点灯させる場合には、セグメント３１に印加する電圧は５Ｖであり、５Ｖ付近では、図７に示したように、透過率の変化が大きくないからであると考えられる。
【００５６】
図８には、Ｓ５で用いる補正値マップの一例を示している。図８に示す補正値マップは、横軸がコモン電極ＣＯＭであり、縦軸がセグメント電極ＳＥＧである。コモン電極ＣＯＭとセグメント電極ＳＥＧとの組み合わせで、点灯するセグメント３１が決まる。よって、図８はセグメント３１ごとの補正値を示したマップである。この補正値は、基準デューティ比に加算する補正を行う場合の補正値である。
【００５７】
Ｓ６では、中間階調で点灯させるセグメント３１を備えるコモン電極ＣＯＭおよびセグメント電極ＳＥＧに接続されている第３ポート４３から、それぞれ、セグメント３１を点灯させるタイミングでパルス信号を出力する。出力するパルス信号のデューティ比は、コモン電極ＣＯＭは基準デューティ比であり、セグメント電極ＳＥＧは基準デューティ比に補正値を加算した補正後デューティ比である。
【００５８】
［第１実施形態のまとめ］
本実施形態では、中間階調で点灯させる場合の電圧を、パルス信号のデューティ比で調整しているので、中間階調の階調数に応じた抵抗素子を備える必要がない。よって、少ない回路素子数で中間階調を表示できる。
【００５９】
また、本実施形態では、セグメント３１を消灯させる場合、ＣＰＵ４０はオフ制御を実行する。すなわち、セグメント３１を消灯させる場合、ＣＰＵ４０は、第１ポート４１から５Ｖを出力し第２ポート４２から０Ｖを出力する状態と、第１ポート４１から０Ｖを出力し第２ポート４２から５Ｖを出力する状態とを交互に繰り返す。オフ制御は、抵抗分圧回路５０で端子２１に出力する電圧を生成している。よって、セグメント３１を消灯させる場合の直流残留成分が大きくなり過ぎることを抑制できる。その結果、液晶の劣化を抑制することができる。
【００６０】
また、本実施形態では、セグメント３１を中間階調で点灯させる場合、そのセグメント３１に対応するセグメント電極ＳＥＧに出力するパルス信号のデューティ比を、基準デューティ比を補正した補正後デューティ比とする。これにより、たとえば数字など、複数のセグメント３１で構成されている１つの形状を中間階調で点灯させる際に、一つの形状内で輝度ムラが生じてしまうことを抑制できる。
【００６１】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００６２】
図９に、第２実施形態のコモン電極ＣＯＭを示している。図９に示すコモン電極ＣＯＭ  は、セグメント３１の部分は図３と同じである。また、図３と同じ配線７１も備えている。この配線７１に加えて、図９に示すコモン電極ＣＯＭは、配線７２を備えている。配線７１と配線７２を区別しやすくするために、図９では、配線７２は破線で示している。しかし、実際には、配線７２は、一方の端から他方の端まで電気的につながった線である。
【００６３】
配線７２の一方の端は、配線７１の端子２１に接続されている側とは反対側の端に接続されている。配線７２の他方の端は、その配線７１が接続されているものと同じ端子２１に接続されている。よって、配線７１と配線７２とを備えた１本の配線は、両端が同じ端子２１に接続されていることになる。
【００６４】
両端が同じ端子２１に接続されることで両端が同電位になる。１本の配線の両端が同電位になると、端子２１からの距離により、配線の電位が異なってしまうことが抑制される。よって、第２実施形態では、第１実施形態で行っていた補正を行う必用がない。そのため、第２実施形態では、ＣＰＵ４０は、図６においてＳ５を省略した処理を行う。
【００６５】
［第２実施形態のまとめ］
第２実施形態では、コモン電極ＣＯＭは、両端が同じ端子２１に接続されている。これにより、コモン電極ＣＯＭは、両端が同電位となることから、端子２１からの距離によって電圧が変化してしまう程度が抑制される。その結果、セグメント３１を中間階調で点灯させているときに、輝度ムラが生じてしまうことを抑制できる。
【００６６】
以上、実施形態を説明したが、開示した技術は上述の実施形態に限定されるものではなく、次の変形例も開示した範囲に含まれ、さらに、下記以外にも要旨を逸脱しない範囲内で種々変更して実施できる。
【００６７】
＜変形例１＞
たとえば、第１実施形態では、セグメント電極ＳＥＧに電圧を出力するためのパルス信号のデューティ比は補正する一方で、コモン電極ＣＯＭに電圧を出力するためのパルス信号は基準デューティ比としていた。しかし、セグメント電極ＳＥＧに電圧を出力するためのパルス信号のデューティ比およびコモン電極ＣＯＭに電圧を出力するためのパルス信号のデューティ比をともに基準デューティ比から補正してもよい。なお、この場合、第１実施形態とは異なる補正値となる。
【００６８】
＜変形例２＞
基準デューティ比を補正する方法は補正値を加算する方法に限られない。基準デューティ比に補正係数を乗じる補正を行ってもよい。
【００６９】
＜変形例３＞
第２実施形態では、コモン電極ＣＯＭのみ、両端を同じ端子２１に接続していた。しかし、これに代えて、セグメント電極ＳＥＧのみ、両端を同じ端子２１に接続してもよい。また、コモン電極ＣＯＭおよびセグメント電極ＳＥＧともに、両端を同じ端子２１に接続してもよい。
【符号の説明】
【００７０】
１：液晶表示装置    １０：バックライト    ２０：駆動回路    ２１：端子    ３０：液晶パネル    ３１：セグメント    ４０：ＣＰＵ    ４１：第１ポート    ４２：第２ポート    ４３：第３ポート    ５０：抵抗分圧回路    ５１：第１抵抗    ５２：第２抵抗    ５３：電圧出力点    ６０：フィルタ    ６１：抵抗    ６２：コンデンサ    ７１：配線    ７２：配線    ８１：配線    ＣＯＭ：コモン電極    ＳＥＧ：セグメント電極
【図１】
2019045766.tif 000003
【図２】
2019045766.tif 000004
【図３】
2019045766.tif 000005
【図４】
2019045766.tif 000006
【図５】
2019045766.tif 000007
【図６】
2019045766.tif 000008
【図７】
2019045766.tif 000009
【図８】
2019045766.tif 000010
【図９】
2019045766.tif 000011